(57)【要約】【課題】高度の塵埃侵入防止機能を備えていながら全体の梱包コストが少なくて済む、塵埃による汚損を嫌う光学フイルム等の積荷を搬送するのに好適な箱形コンテナ提供する。【解決手段】パレット１と、パレット１の上面に組み付けられる箱状の保護ケース２とを備えている。保護ケース２はプラスチックダンボールを素材にして形成してあり、前後壁体１１・１２と、左右壁体１３・１４と、上壁体１５とを一体に備えている。各壁体１１〜１５の隣接縁は折り曲げ可能な折線Ｔを介して連続している。組立状態においてのみ互いに隣接しあう壁体１１〜１４の隣接隙間を封止壁２２で封止して、高度の塵埃侵入防止機能を発揮できるようにし、輸送時における塵埃の侵入を確実に阻止する。【選択図】図１
2008230644.tif 000002
【特許請求の範囲】
【請求項１】
パレットと、前記パレットの上面に組み付けられる箱状の保護ケースとを備えており、
前記保護ケースは前後壁体と、左右壁体と、上壁体とを一体に備えていて、前記各壁体は折線を介して連続しており、
組立状態においてのみ互いに隣接しあう前記壁体のいずれか一方の周縁に、前記他方の壁体の周縁との間の隙間を封止する封止壁が形成してある箱形コンテナ。
【請求項２】
組立状態において前記保護ケースの周囲壁を構成する前記壁体の下部に連結脚片が一体に設けられており、
前記連結脚片が前記パレットに設けた連結溝に差し込み係合されて、前記保護ケースがパレットと一体化されており、
前記封止壁と前記他方の壁体の周縁とに、互いに係合して前記封止壁を止め付ける連結舌片と、連結舌片を差し込み係合するための連結穴とが形成してある請求項１記載の箱形コンテナ。
【請求項３】
展開状態において縦横に連続する前記各壁体の外端に位置し、かつ、組立状態において最後に折り曲げられて前記保護ケースの周囲壁を構成する壁体を備えており、
前記壁体が、前記保護ケースの出入口を開閉する蓋壁を兼ねている請求項１または２記載の箱形コンテナ。
【請求項４】
蓋壁を兼ねる前記壁体の連結脚片に、シール材を兼ねる弾性係合体が固定されており、
前記弾性係合体を前記連結溝に差し込み係合して、前記壁体を閉じ姿勢に位置保持できる請求項３記載の箱形コンテナ。
【請求項５】
組立状態において前記保護ケースの周囲壁を構成する前記壁体に連続して、前記保護ケースの底壁を構成する底壁体が一体に形成してある請求項３または４記載の箱形コンテナ。
【請求項６】
前記保護ケースが、プラスチックダンボールを形成素材にして構成してある請求項１〜５のいずれかに記載の記載の箱形コンテナ。
【発明の詳細な説明】
【技術分野】
【０００１】
本発明は、パレットと、パレット上の積荷の周囲および上面を囲む保護ケースとを備えている箱形コンテナ、なかでも搬送時の塵埃による汚損を防止できる密閉構造の箱形コンテナに関する。
【背景技術】
【０００２】
この種の箱形コンテナは、例えば特許文献１に見ることができる。そこでは、パレットと、パレットの対向辺部に起立固定される一対の左右パネルと、両側壁パネルに上方から差し込み連結される前後パネルと、これらパネルの上面開口に被せ付けられる蓋構造の上パネルとで箱形コンテナを構成している。各パネルはアルミニウム条材で構成されるパネル枠と、パネル枠に固定されるプラスチック製のパネルとで構成してある。上パネルは、箱上面を塞ぐ天井壁と、前後左右のパネルの上部外面に被さる四周壁とで蓋状に構成してあり、対向する一対の周壁を面ファスナーで左右パネルに分離不能に固定した状態で搬送に供される。
【０００３】
上記の箱形コンテナは、前後パネルを左右パネルの前後縁に設けた連結枠部分に上方から差し込み連結し、さらに蓋構造の上パネルを前後左右のパネルの上面に被せ付けて、各パネルの隣接接合部分の隙間から塵埃が入り込むのを阻止し、積荷が搬送時に塵埃などによって汚損されるのを防止している。この箱形コンテナは、例えば液晶セル基板やプラズマディスプレイ基板などに貼り付けられる偏光フイルムや反射防止フイルムなどの特殊機能を備えた光学フイルムの搬送に適用される。なお、コンテナ全体を回収する際には、パレットと、パレット上に載置した上パネルとの間の空間に、各パネルを分解し積層収納した省スペース状態で搬送できる。
【０００４】
上記の箱形コンテナに比べて梱包構造を簡素化でき、しかも塵埃の侵入を防止できる箱形コンテナが提案されている（特許文献２）。そこでは、パレットと、下面が開口する角箱状の保護ケースとで箱形コンテナを構成している。保護ケースはダンボールで形成してあり、その開口周縁には複数の突片が設けてある。これらの突片をパレットのスペーサーブロックにジョイント体で連結固定することにより、保護ケースをパレットと一体化している。因みにこの箱形コンテナは、人力での搬送が困難な数十キロ前後の装置類を搬送するために使用される。
【０００５】
【特許文献１】特開２００６−３４７６１７号公報（段落番号００４６、図３）
【特許文献２】特開平８−２８２６６３号公報（段落番号０００６〜０００７、図１）
【発明の開示】
【発明が解決しようとする課題】
【０００６】
特許文献２の保護ケースは、４個のケース周囲壁の上縁に、通常のダンボール箱の底フラップと同様の観音開き構造のフラップを備えており、４個のフラップをそれぞれケース内方へ折り曲げることでケース上面を塞ぐ構造になっている。そのため、塵埃の侵入を防ぐには４個のフラップの隣接隙間を粘着テープなどで封止する必要がある。また、開梱時には、保護ケースの突片とパレットを分離して、保護ケースの全体を積荷から上方へ抜き取る必要があり、積荷の取り出しに手間が掛かる。ダンボール製の保護ケースは、再利用できなくはないが耐久性に問題があるうえ、扁平に折り畳んだとしても、折り畳まれた保護ケースの面積がパレットの上面面積より大きく嵩張るのを避けられない。
【０００７】
本発明の目的は、高度の塵埃侵入防止機能を備えており、さらに全体の梱包コストが少なくて済む箱形コンテナを提供することにある。本発明の目的は、光学フイルムなどの、塵埃等による汚損を嫌う積荷を搬送するのに好適な箱形コンテナを提供することにある。
【課題を解決するための手段】
【０００８】
本発明の箱形コンテナは、パレット１と、パレット１の上面に組み付けられる箱状の保護ケース２とを備えている。保護ケース２は前後壁体１１・１２と、左右壁体１３・１４と、上壁体１５とを一体に備えている。各壁体１１〜１５は折線Ｔを介して連続している。以て、組立状態においてのみ互いに隣接しあう壁体１１・１２・１３・１５のいずれか一方の周縁に、他方の壁体の周縁との間の隙間を封止する封止壁２２が形成してあることを特徴とする。
【０００９】
組立状態において保護ケース２の周囲壁を構成する壁体１１〜１４の下部に連結脚片１７・１８を一体に設け、連結脚片１７・１８をパレット１に設けた連結溝８ａ〜８ｃに差し込み係合し、保護ケース２をパレット１と一体化する。封止壁２２と前記他方の壁体の周縁とに、互いに係合して封止壁２２を止め付ける連結舌片２３と、連結舌片２３を差し込み係合するための連結穴２４とを形成する。
【００１０】
展開状態において縦横に連続する各壁体１２〜１５の外端に位置し、かつ、組立状態において最後に折り曲げられて保護ケース２の周囲壁を構成する壁体１１を備えている。前記壁体１１が保護ケース２の出入口２５を開閉する蓋壁を兼ねるようにする。
【００１１】
蓋壁を兼ねる壁体１１の連結脚片１８に、シール材を兼ねる弾性係合体１９を固定する。弾性係合体１９を連結溝８ｃに差し込み係合して、前記壁体１１を閉じ姿勢に位置保持できるようにする。
【００１２】
図６に示すように、組立状態において保護ケース２の周囲壁を構成する壁体１２〜１４に連続して、保護ケース２の底壁を構成する底壁体３１を一体に形成する。
【００１３】
保護ケース２は、プラスチックダンボールを形成素材にして構成する。
【発明の効果】
【００１４】
本発明においては、パレット１と、パレット１の上面に組み付けられる箱状の保護ケース２とで箱形コンテナを構成し、保護ケース２を、前後壁体１１・１２と、左右壁体１３・１４と、上壁体１５などの連続壁体で構成し、さらに、組立状態においてのみ互いに隣接しあう壁体１１・１２・１３・１５の隣接隙間を、例えば前壁体１１と上壁体１５と一体に形成した封止壁２２で外面から覆って閉止できるようにした。
【００１５】
上記のように、保護ケース２を箱状に組み立た状態において形成される隣接隙間を、封止壁２２で外面から覆って閉止すると、輸送途中に塵埃が保護ケース２の内部に侵入する確実に防止して、従来のこの種の箱形コンテナに比べて塵埃侵入防止機能を高度化できる。このように、高度の塵埃侵入防止機能を備えた箱形コンテナは、特殊機能を備えた光学フイルムなどの、塵埃等による汚損を嫌う繊細な積荷を搬送するのに好適である。保護ケース２は、例えばプラスチックダンボールなどのシート材を素材にして比較的簡単に形成できるので、保護ケースの壁パネルを、アルミニウム条材製のパネル枠とプラスチック製のパネルとで構成する従来のコンテナ構造に比べて、保護ケース２の製造に要するコストを大幅に削減し、箱形コンテナによる全体の梱包コストを節約できる。
【００１６】
組立状態において保護ケース２の周囲壁を構成する壁体１１〜１４の下部に連結脚片１７・１８を一体に設け、連結脚片１７・１８をパレット１に設けた連結溝８ａ・８ｂ・８ｃに差し込み係合し、さらに、連結舌片２３と連結穴２４とを係合して封止壁２２を保形すると、金具などを一切使用する必要もなく保護ケース２をパレット１と一体化し、さらに箱形状を維持できるので、保護ケース２の構成部品数を最小限化して、その製造コストをさらに削減できる。
【００１７】
出入口２５の蓋体を兼ねる壁体１１の連結脚片１８にシール材を兼ねる弾性係合体１９を固定し、この弾性係合体１９を連結溝８ｃに差し込み係合して、前記壁体１１を閉じ姿勢に位置保持できるようにすると、壁体１１とパレット１との接合面との間から塵埃等がケース内へ侵入するのを確実に防止して、保護ケース２内の空間をクリーンな状態に維持して箱形コンテナを輸送できる。弾性係合体１９を連結溝８ｃから取り外して壁体１１を揺動するだけで出入口２５を開放できるので、搬送先における積荷の取り出しを簡便に行える。
【００１８】
組立状態において保護ケース２の周囲壁を構成する壁体１２〜１４に連続して、保護ケース２の底壁を構成する底壁体３１を一体に形成すると、保護ケース２の密閉度を高めて防塵機能をさらに強化でき、塵埃等による汚損を嫌う繊細な積荷を搬送するのに好適な箱形コンテナが得られる。
【００１９】
プラスチックダンボールを形成素材にして構成した保護ケース２によれば、保護ケース２の製造に要するコストを削減できるうえ、軽量化をも同時に実現して、その取り扱いを容易化できる。また、ダンボールで保護ケースを形成する場合に比べて保護ケース２の耐久性を向上して、高度の塵埃侵入防止機能を備えた箱形コンテナの信頼性を向上でき、しかも保護ケース２を繰り返し搬送に供することによって、塵埃等による汚損を嫌う積荷の輸送コストを削減できる。
【発明を実施するための最良の形態】
【００２０】
（実施例）  図１ないし図５は本発明に係る箱形コンテナの実施例を示す。図１および図２において箱形コンテナは、パレット１と、パレット１の上面に組み付けられる箱状の保護ケース２とで構成する。パレット１は、それぞれ正方形状に形成される上面のデッキ板４と下面のベース板５と、両板４・５を繋ぐスペーサーブロック６とを一体に備えたプラスチック成形品からなる。スペーサーブロック６は、パレット１の四隅部分と、各周側面の中央部分などに設けてあり、各周側面において隣接するスペーサーブロック６・６の間に、フォークリフトのフォークを差し込むためのフォーク挿入空間７が形成してある。
【００２１】
パレット１のデッキ板４には、後述する保護ケース２の連結脚片１７を差し込み係合するための連結溝８ａ・８ｂ・8ｃを凹み形成する。具体的には、デッキ板４の左右の後隅に、前後寸法と左右寸法とが同じ鈎形の連結溝８ａを形成し、デッキ板４の左右辺部の前端寄りおよび前後中央と、後辺部の左右中央のそれぞれに一文字状の連結溝８ｂを形成し、デッキ板４の前辺部に沿って、前部左右の連結溝８ｂを繋ぐ連結溝８ｃが形成してある。前二者の連結溝８ａ・８ｂの凹み深さは、パレット１の上下厚み寸法の概ね半分程度とするが、残る連結溝８ｃの凹み深さは浅く設定してある。これは、蓋体を兼ねる前壁体１１を開閉することに由来するが、その詳細は後述する。
【００２２】
保護ケース２はプラスチックダンボールを素材にして形成されており、前後壁体１１・１２と、左右壁体１３・１４と、上壁体１５とを一体に備えている。各壁体１１〜１５の隣接縁には折線Ｔが形成してある。保護ケース２の展開形状の一例を図３に示す。そこでは、左右壁体１３・１４と、両壁体１３・１４の間に配置される後壁体１２とを、折線Ｔを介して横方向に連続形成し、後壁体１２の上縁に隣接して上壁体１５と前壁体１１を、折線Ｔを介して縦方向に連続形成した。図３に示すように折線Ｔは、プラスチックダンボールをＶ字溝状に熱変形させて形成してある。
【００２３】
上記の各壁体１１〜１５のうち、組立状態において保護ケース２の周囲壁を構成する４個の壁体、具体的には前後壁１１・１２と、左右壁１３、１４の下部には、それぞれ連結脚片１７・１８が一体に形成してある。左右および後の各壁体１２・１３・１４においては、四角形の連結片１７を壁体下縁の両端と中央部の３個所に設け、前壁体１１においてはその下縁にそって左右横長の連結片１８を設ける。前壁体１１と連結片１８とは折線Ｔを介して連続しており、連結片１８の外面には、シール材を兼ねる弾性係合体１９が接着固定してある。弾性係合体１９は、弾性変形可能な発泡プラスチック体、例えば発泡ポリエチレンやウレタンなどで形成する。
【００２４】
組立状態においてのみ互いに隣接しあう壁体、具体的には前壁体１１および上壁体１５と、左右の壁体１３・１４との周縁には、封止壁２２および連結舌片２３と、連結舌片２３を差し込み係合するための連結穴２４とが形成してある。この実施例では、前壁体１１および上壁体１５の左右側縁に沿って封止壁２２を形成し、封止壁２２の上下端寄りおよび前後端寄りに２個の連結舌片２３を一体に形成した。また、左右の壁体１３・１４の前縁上下および上縁前後のそれぞれに、先の連結舌片２３が差し込み係合される四角形の連結穴２４を形成した。各封止壁２２と、前壁体１１および上壁体１５とは、それぞれ折線Ｔを介して連続している。
【００２５】
以上のように構成した箱形コンテナは、パレット１の上面に積荷を載置したのち、箱状に組んだ保護ケース２をパレット１に装着固定して搬送に供する。詳しくは、図２に示すように、左右壁体１３・１４と後壁体１２とを折線Ｔに沿ってコ字状に折り曲げ、各壁体１２〜１４に設けた連結脚片１７をパレット１の連結溝８ａ・８ｂに差し込み係合して、各壁体１２〜１４を起立させる。この仮組み状態で、上壁体１５の封止壁２２を折り曲げて左右壁体１３・１４の上縁外面に被せけ、前後の連結舌片２３を連結穴２４に差し込み係合して、上壁体１５を左右壁体１３・１４に固定する（図４参照）。
【００２６】
同様にして、前壁体１１をケース前面側へ折り曲げ、さらに連結脚片１８を内折りにして弾性係合片１９をパレット１の連結溝８ｃに嵌め込むことにより、前壁体１１が開くのを規制して保護ケース２の出入口２５を閉止する。引き続き、図５に示すように両側の封止壁２２を左右壁体１３・１４の前縁外面に被せ付け、上下の連結舌片２３を連結穴２４に差し込み係合して、前壁体１１を左右壁体１３・１４に固定する。最後に、図４に想像線で示すように、パレット１の前後側面の左右に固定したベルト２７を面ファスナー２８で上壁体１５に固定して、保護ケース２をパレット１に分離不能に固定する。連結溝８ｃに嵌め込まれた弾性係合片１９は、連結脚片１８とデッキ板４との接合隙間を塞いで、塵埃等の侵入を阻止する。なお、保護ケース２の組み付け手順は、上記の手順である必要はなく、上記手順を適宜前後させながら組むことができる。
【００２７】
以上のように構成した箱形コンテナによれば、保護ケース２を箱状に組んでパレット１上に固定した状態において、各壁体１１〜１５の隣接隙間を封止壁２２で外面から覆って閉止でき、また、蓋壁を兼ねる前壁体１１とパレット１との接合隙間を弾性係合体１９で封止できるので、搬送時に塵埃が保護ケース２の内部に侵入する確実に防止して、従来のこの種の箱形コンテナに比べて塵埃侵入防止機能を高度化できる。保護ケース２をプラスチックダンボールで形成するので、保護ケースの壁パネルを、アルミニウム条材製のパネル枠とプラスチック製のパネルとで構成する従来のコンテナ構造に比べて、保護ケース２の製造に要するコストを大幅に削減して、梱包コストを節約できる。さらに、保護ケース２を軽量化して、その取り扱いを容易化できる利点もある。以上のように、高度の塵埃侵入防止機能を備えた箱形コンテナは、特殊機能を備えた光学フイルムなどの、塵埃等による汚損を嫌う繊細な積荷を搬送するのに好適である。
【００２８】
搬送先においては、ベルト２７を取り外したのち、前壁体１１の左右の連結舌片２３を連結穴２４から分離し、さらに連結脚片１８を操作して弾性係合体１９を連結溝８ｃから取り外すことにより前壁体１１の拘束を解除する。この状態で、折線Ｔを中心にして前壁体１１を上向きに揺動開放し、さらに図１に想像線で示すように上壁体１５の上面側へ折り曲げて反転することにより、保護ケース２の前面の出入口２５を開放できる。この状態で、積荷を保護ケース２の外面へ取り出すことができる。必要があれば、保護ケース２の全体をパレット１から完全に取り外した状態で積荷を取り出してもよい。
【００２９】
パレット１と保護ケース２は、いずれも繰り返して搬送に供する。パレット１および保護ケース２を搬送元へ回収する場合には、保護ケース２を一旦展開状態にしたのち、後壁体１２の内面に左右壁体１３・１４と上壁体１５を記載順に折り込み、さらに前壁体１１を上壁体１５の外面に反転状に折り込んで、保護ケース２の全体を扁平に折り畳む。折り畳んだ状態のケース体の複数個をひとまとめにして、パレット１と共に回収搬送する。
【００３０】
上記の実施例では、前壁体１１を上向きに開放揺動して出入口２５を開放するようにしたが、その必要はない。例えば、前壁体１１を左右壁体１２・１３のいずれか一方に隣接して連続形成し、前壁体１１を横向きに開放揺動することにより出入口２５を開放することができる。要は、展開状態において縦または横に連続する各壁体１２〜１５の外端に位置し、かつ、組立状態において最後に折り曲げられて保護ケース２の周囲壁を構成する壁体で出入口２５を開閉すればよい。その場合には、前壁体１１および上壁体１５と、左右の壁体１３・１４との周縁の必要個所に封止壁２２を設けるとよい。
【００３１】
図６は保護ケース２別の実施例を示す。そこでは、上記の実施例における後壁体１２の下縁に連続して底壁体３１を一体に形成した。底壁体３１の左右側縁には内封止壁３２を設け、その前後に２個の連結舌片３３を設けた。左右壁体１３・１４の下縁前後には先の連結舌片３３を差し込み係合するための四角形状の連結穴３４を形成した。底壁体３１および内封止壁３２は、それぞれ左右壁体１３・１４の内面側へ折り込んで、各連結舌片３３を連結穴３４に内面側から差し込み係合することにより、底壁体３１を左右壁体１３・１４に固定する。他は先の実施例と同じであるので、同じ部材に同じ符号を付してその説明を省略する。なお、底壁体３１は、左右壁体１３・１４のいずれか一方に連続して形成することができる。
【００３２】
上記の実施例以外に、封止壁２２を左右壁体１３・１４の側に形成して、これらを前壁体１１および上壁体１５に連結舌片２３と連結穴２４を介して係合固定することができる。保護ケース２は、ダンボールや、プラスチック板材で形成することができる。後者の場合には、各壁体１１〜１５および封止壁２２の隣接縁どうしを、幅方向中央部分に折目Ｔがくせ付けされたポリプロピレン製の帯状シートで連結して、各壁体１１〜１５および封止壁２２の隣接隙間を塞ぎながら折り畳み可能とすることができる。
【図面の簡単な説明】
【００３３】
【図１】箱形コンテナの側面図である。
【図２】保護ケースの一部を展開した状態の箱形コンテナの分解斜視図である。
【図３】保護ケースの展開図である。
【図４】箱形コンテナの縦断側面図である。
【図５】図１におけるＡ−Ａ線断面図である。
【図６】保護ケースの別の実施例に係る展開図である。
【符号の説明】
【００３４】
１  パレット
２  保護ケース
１１  前壁体
１２  後壁体
１３  左壁体
１４  右壁体
１５  上壁体
２２  封止壁
Ｔ  折線
【図１】
2008230644.tif 000003
【図２】
2008230644.tif 000004
【図３】
2008230644.tif 000005
【図４】
2008230644.tif 000006
【図５】
2008230644.tif 000007
【図６】
2008230644.tif 000008